(57)【要約】【課題】外形が異なる種々の画像撮影用ＣＣＤセンサーを使用できると共に、各種センサーの位置決めを正確に行えて、再現性に優れた画像を作成し易くし、口腔内での咬合状態が安定して、違和感が少なく、保持状態が良好なものにする。【解決手段】専用センサーホルダー１７のセンサー支持基板１８を円形照射面４ａと同一又は倍角となるように傾斜させ、支持基板１８の上下端部に上下湾曲部１９、２０を夫々突設して、センサー１６の外形に対応するセンサー装着部を形成し、支持基板１８に嵌合突条２５を設け、咬合用主ブロック９に嵌合突条２５が嵌まる断面同一形状の嵌合溝１２を設け、センサー装着部の形状をセンサー１６の外形が異なる毎に変えると共に、センサー装着部の上下位置を被検歯２８に対する撮影個所が異なる毎に変えて、種々のホルダー１７を作成し、各ホルダー１７には同一形状の嵌合突条２５を設ける。【選択図】図１
2010253127.tif 000002
【特許請求の範囲】
【請求項１】
アーム状に伸びる支持基板の前端に、そのアーム状支持基板の一主面から一方向に突出するようにして、Ｘ線照射管案内リングを突設し、そのアーム状支持基板の後部付近を被検者の口腔内に挿入する口腔内挿入部にし、その口腔内挿入部にＸ線照射管案内リングの突出方向と大略同一方向に向けて、咬合時に被検歯付近の歯が垂直状態になって、歯の先端面が当接する咬合面付き主ブロックを突設し、その咬合用主ブロックに画像撮影用ＣＣＤセンサーを支持する専用のセンサーホルダーを設置し、そのＸ線照射管案内リングの円形照射面を咬合用主ブロックの咬合面に垂直な面に対し所定の角度傾斜させ、その専用センサーホルダーを、そのホルダーに装着した画像撮影用ＣＣＤセンサーに設けた撮影エリアの主面が円形照射面と同一の傾斜方向になって、傾斜角度が同一又は倍角となるように配置する歯科Ｘ線画像撮影用ＣＣＤセンサー装着用の専用センサーホルダー付き撮影具であって、上記専用センサーホルダーに支持基板を設け、そのセンサー支持基板を円形照射面と同一の傾斜方向にして、傾斜角度が同一又は倍角となるように傾斜させ、そのセンサー支持基板の上下端部に、センサー支持基板の一主面側に装着する画像撮影用ＣＣＤセンサーの上下端部を被って支持する上下湾曲部を夫々突設して、そのセンサー支持基板に画像撮影用ＣＣＤセンサーの外形に対応するセンサー装着部を形成し、そのセンサー支持基板の他主面側に所定の突出長を有し、咬合用主ブロックの咬合面と平行に所定の長さ伸びる先端部側拡張の嵌合突条を設け、その咬合用主ブロックの後面に咬合面と平行に伸びて両端まで達するようにして、専用センサーホルダーの嵌合突条が嵌まる断面同一形状の嵌合溝を設け、そのセンサー装着部の形状を画像撮影用ＣＣＤセンサーの外形が異なる毎に変えると共に、センサー装着部の上下位置を被検歯に対する撮影個所が異なる毎に変えて、種々の専用センサーホルダーを作成し、その各専用センサーホルダーにはいずれにも同一形状の嵌合突条を設けることを特徴とする歯科Ｘ線画像撮影用ＣＣＤセンサー装着用の専用センサーホルダー付き撮影具。
【請求項２】
前記専用センサーホルダーの口腔内挿入部側にある一方の湾曲部の中央付近に、その専用センサーホルダーに装着した画像撮影用ＣＣＤセンサーの信号電線が嵌まる配線用の貫通穴を設け、その口腔内挿入部の咬合用主ブロックと相対する位置に、被検歯付近の歯と相対する歯の先端面が当接する咬合面付き補助ブロックを突設し、その咬合用補助ブロックに信号電線配置用の間隙を設けることを特徴とする請求項１記載の歯科Ｘ線画像撮影用ＣＣＤセンサー装着用の専用センサーホルダー付き撮影具。
【発明の詳細な説明】
【技術分野】
【０００１】
本発明は、歯科医療において、歯のＸ線撮影に使用する画像撮影用ＣＣＤセンサー装着用の撮影具に関する。
【背景技術】
【０００２】
従来、歯科医療において歯をＸ線撮影する場合、被検歯より内方にＸ線写真フィルムを保持し、そのＸ線写真フィルムに対し、Ｘ線管の照射方向を定めて撮影を行っている。すると、撮影エリアの広いＸ線写真フィルムを用いることにより、被検歯を含む付近の歯を３〜４本同時に撮影できる。しかし、Ｘ線写真フィルムでは撮影後に、現像処理して画像を映し出さなければならない。そこで、近年ではＸ線に感応する画像撮影用ＣＣＤセンサーを同様に用いて、被検歯の撮影を行い、電子的な処理により再現性に優れた画像を作成し、歯科医療を行っている。しかも、このようなＣＣＤセンサーを用いると、同一のＣＣＤセンサーを繰り返して使用できるばかりでなく、被検者が受けるＸ線の被爆量をＸ線写真フィルムに比べて軽減できる。
【０００３】
しかし、画像撮影用ＣＣＤセンサーとして市販されている製品には種々の外形寸法のものがあって、厚みが一段と厚い。このため、体積が大きくて嵩張る上、Ｘ線写真フィルムと比べると外郭寸法に大差はないが、撮影エリアの寸法が小さい。それ故、同時に撮影できる歯数は２〜３本である。そして、被検歯の上下方向の長さと画像上の歯の上下方向の長さが同一である等長撮影が理想的であっても、特に撮影エリアの上下方向の寸法が小さいため、被検歯の先端から根尖までの歯の全長撮影を行えない場合がある、という問題がある。
【０００４】
そこで、「被検者の口腔内に装着されて上下歯で咬持されるべき保定板に取付けられた受光体装着板と、この保定板から口腔外に張出す支持アームに取付けられた中間アームを介して、受光体装着板と対向する位置に配されるＸ線管案内盤とを備え、板状のＸ線受光体を上顎の被検臼歯の内側に支持保定すると共にＸ線管の照射方向を案内するＸ線撮影具において、受光体装着板がＸ線管案内盤と平行であり、かつ受光体装着板の取付け角度が保定部の垂直線に対して２０乃至４０度で取付けられた上顎臼歯のＸ線撮影具を使用し、ＣＣＤイメージセンサーを受光体装着板に装着し、被検臼歯の上下方向の寸法を７０乃至９０％に圧縮した画像を得るＸ線撮影法。」が提示されている。そして、そのＸ線撮影具を用いると、「被検歯と受光体とＸ線の位置関係および照射角度が一定となるために、圧縮率が一定で再現性の良い鮮明なＸ線画像を容易に得ることができる。また、受光体を被検歯の後部に配置しやすいので、確実に被検歯の画像を捉えることが出来る。とりわけ高さ寸法の足らないＣＣＤイメージセンサーを用いる場合に、歯牙の上下が圧縮され、根尖部から咬合部にいたる被検臼歯全体を写し出すことができ、確実な診断を行うことが可能となる。」旨主張している。
【特許文献１】特開平１０−３１４１６４
【発明の開示】
【発明が解決しようとする課題】
【０００５】
しかしながら、このような上顎臼歯のＸ線撮影具では、受光体装着板を上保定部の垂直線に対して所定の角度で取り付け、その受光体装着板の下縁に受光体の下端を保持する保持凸部を設け、又はそのような保持凸部を設けずに、その受光体装着板に画像撮影用ＣＣＤセンサーを輪ゴム又は粘着テープで固定しているに過ぎない。このため、外形が異なる種々のＣＣＤセンサーをいずれも同様に受光体装着板上に乗せ、その下端を凸部で保持し又は保持せずに、輪ゴム等で固定するだけであり、各種ＣＣＤセンサーの撮影に適合する正確な位置決めを行い難い。それ故、被検歯の先端から根尖までの歯の全長撮影を速やかに行えない場合があって、再現性に優れた等長又は圧縮画像を作成し難い。しかも、根尖病の検査をするためには、被検歯の根尖付近を含めるようにして、上下方向の一定の範囲を撮影箇所にし、その画像を作成したい場合がある。
【０００６】
本発明は、このような従来の問題点に着目してなされたものであり、外形が異なる種々の画像撮影用ＣＣＤセンサーを使用できると共に、被検歯等の撮影箇所に対し、各種ＣＣＤセンサーの位置決めを正確に行えて、再現性に優れた等長又は圧縮画像を作成し易くし、口腔内での咬合状態が安定して、違和感が少なく、保持状態が良好な歯科Ｘ線画像撮影用ＣＣＤセンサー装着用の専用センサーホルダー付き撮影具を提供することを目的とする。
【課題を解決するための手段】
【０００７】
上記目的を達成するために、本発明による歯科Ｘ線画像撮影用ＣＣＤセンサー装着用の専用センサーホルダー付き撮影具は、アーム状に伸びる支持基板の前端に、そのアーム状支持基板の一主面から一方向に突出するようにして、Ｘ線照射管案内リングを突設し、そのアーム状支持基板の後部付近を被検者の口腔内に挿入する口腔内挿入部にし、その口腔内挿入部にＸ線照射管案内リングの突出方向と大略同一方向に向けて、咬合時に被検歯付近の歯が垂直状態になって、歯の先端面が当接する咬合面付き主ブロックを突設し、その咬合用主ブロックに画像撮影用ＣＣＤセンサーを支持する専用のセンサーホルダーを設置し、そのＸ線照射管案内リングの円形照射面を咬合用主ブロックの咬合面に垂直な面に対し所定の角度傾斜させ、その専用センサーホルダーを、そのホルダーに装着した画像撮影用ＣＣＤセンサーに設けた撮影エリアの主面が円形照射面と同一の傾斜方向になって、傾斜角度が同一又は倍角となるように配置する。
【０００８】
そして、上記専用センサーホルダーに支持基板を設け、そのセンサー支持基板を円形照射面と同一の傾斜方向にして、傾斜角度が同一又は倍角となるように傾斜させ、そのセンサー支持基板の上下端部に、センサー支持基板の一主面側に装着する画像撮影用ＣＣＤセンサーの上下端部を被って支持する上下湾曲部を夫々突設して、そのセンサー支持基板に画像撮影用ＣＣＤセンサーの外形に対応するセンサー装着部を形成し、そのセンサー支持基板の他主面側に所定の突出長を有し、咬合用主ブロックの咬合面と平行に所定の長さ伸びる先端部側拡張の嵌合突条を設け、その咬合用主ブロックの後面に咬合面と平行に伸びて両端まで達するようにして、専用センサーホルダーの嵌合突条が嵌まる断面同一形状の嵌合溝を設け、そのセンサー装着部の形状を画像撮影用ＣＣＤセンサーの外形が異なる毎に変えると共に、センサー装着部の上下位置を被検歯に対する撮影個所が異なる毎に変えて、種々の専用センサーホルダーを作成し、その各専用センサーホルダーにはいずれにも同一形状の嵌合突条を設ける。
【０００９】
又、前記専用センサーホルダーの口腔内挿入部側にある一方の湾曲部の中央付近に、その専用センサーホルダーに装着した画像撮影用ＣＣＤセンサーの信号電線が嵌まる配線用の貫通穴を設け、その口腔内挿入部の咬合用主ブロックと相対する位置に、被検歯付近の歯と相対する歯の先端面が当接する咬合面付き補助ブロックを突設し、その咬合用補助ブロックに信号電線配置用の間隙を設けると好ましくなる。
【発明の効果】
【００１０】
本発明による歯科Ｘ線画像撮影用ＣＣＤセンサー装着用の専用センサーホルダー付き撮影具を使用する場合、先ず種々の専用センサーホルダーから使用する画像撮影用ＣＣＤセンサーの外形に対応するセンサー装着部を有し、そのセンサー装着部の上下位置が被検歯等に対する撮影箇所と一致し、更に求める倍率の撮影が行える専用センサーホルダーを選択し、その専用センサーホルダーを咬合用主ブロックに装着する。そして、その装着時に、専用センサーホルダーのセンサー支持基板の他主面側に設けた先端部側拡張の嵌合突条を、咬合用主ブロックの後面に設けた断面同一形状の嵌合溝と、その端同士が嵌まるように位置決めした後、咬合用主ブロックの咬合面に平行に押し込み、スライドさせて対応する嵌合突条と嵌合溝とを嵌合する。すると、嵌合突条の先端部側が付け根部側より拡張し、嵌合溝の奥部側が開口部側より拡張しているので、その専用センサーホルダーを咬合用主ブロックにより良好に保持できる。又、装着状態にある専用センサーホルダーを引く又は更に押す方向にスライドさせると脱着できる。それ故、咬合用主ブロックに対し、センサーホルダーを自在に装着脱できると共に、咬合用主ブロックとの装着位置を変えることにより、専用センサーホルダーの位置を歯列方向に沿う一定範囲で選択できる。
【００１１】
次に、その専用センサーホルダーに画像撮影用ＣＣＤセンサーを装着するには、画像撮影用ＣＣＤセンサーの端をセンサー支持基板の上下湾曲部間に嵌まるように位置決めした後、センサー支持基板の内側主面に沿って押し込み、スライドさせる。すると、画像撮影用ＣＣＤセンサーをセンサー装着部に挿入して装着することにより、センサー支持基板の内側主面と上下湾曲部で良好に保持できる。又、装着状態にある画像撮影用ＣＣＤセンサーを引く又は更に押す方向にスライドさせると脱着できる。それ故、センサー装着部に対し、画像撮影用ＣＣＤセンサーを自在に装着脱できると共に、センサー装着部への装着位置を変えることにより、画像撮影用ＣＣＤセンサーの位置を歯列に沿う一定範囲で選択できる。
【００１２】
このようにして、専用センサーホルダーを咬合用主ブロックに装着し、更にその専用センサーホルダーに画像撮影用ＣＣＤセンサーを装着した撮影具を使用すると、Ｘ線照射管案内リングの円形照射面の傾斜角度と専用センサーホルダーに装着した画像撮影用ＣＣＤセンサーに設けた撮影エリアの主面の傾斜角度が同一の場合には、その傾斜角度に応じ、被検歯又はその根尖付近にある一定範囲の上下方向の長さ全体を撮影箇所とした時に、被検歯又はその根尖付近にある一定範囲の上下方向の長さと比べて、画像上の歯等の上下方向の長さが圧縮されて短くなる圧縮撮影を行える。又、倍角の場合には、被検歯又はその根尖付近にある一定範囲の上下方向の長さと、画像上の歯等の上下方向の長さが同一となる等長撮影を行える。
【００１３】
そして、専用センサーホルダーのセンサー支持基板に設けるセンサー装着部の形状を画像撮影用ＣＣＤセンサーの外形が異なる毎に変えると共に、センサー装着部の上下位置を被検歯に対する撮影個所が異なる毎に変えて、種々の専用センサーホルダーを作成し、その各専用センサーホルダーにはいずれにも同一形状の嵌合突条を設けることにより、各専用センサーホルダーの嵌合突条を共通化できる。それ故、検査の都度、種々の専用センサーホルダーから適切な専用センサーホルダーを選んで用いることにより、外形が異なる種々の画像撮影用ＣＣＤセンサーを使用できる。そして、咬合時に被検歯やその付近の歯で噛む咬合用主ブロックの位置を変えずに、その咬合用主ブロックに対する専用センサーホルダーの装着位置を適宜変え、更にその専用センサーホルダーに対し、画像撮影用ＣＣＤセンサーの装着位置を適宜変えられるので、撮影箇所とする被検歯又はその根尖付近に対し、各種ＣＣＤセンサーの位置決めを正確に行えて、再現性に優れた等長又は圧縮画像を作成できる。しかも、咬合時に被検歯付近にある噛み易い歯で咬合用主ブロックを強固に噛めるので、口腔内での咬合状態が安定し、違和感が少なくなり、撮影具を良好に保持できる。
【００１４】
又、前記専用センサーホルダーの口腔内挿入部側にある一方の湾曲部の中央付近に、その専用センサーホルダーに装着した画像撮影用ＣＣＤセンサーの信号電線が嵌まる配線用穴を設け、更に口腔内挿入部の咬合用主ブロックと相対する位置に、被検歯付近の歯と相対する歯の先端面が当接する咬合面付き補助ブロックを突設し、その咬合用補助ブロックに信号電線配置用の間隙を設けることにより、信号電線を湾曲部に設けた配線用穴と咬合用補助ブロックの間隙を通して配置できるので、その信号電線を咬合時に歯で傷付けることなく、アーム状支持基板の他主面に沿わせて導くことができる。それ故、歯科Ｘ線画像撮影用ＣＣＤセンサー装着用の専用センサーホルダー付き撮影具が、特に前歯撮影用に適したものになる。
【発明を実施するための最良の形態】
【００１５】
以下、添付の図１〜１２を参照して、本発明の実施の最良形態を説明する。
図１は本発明を適用した上顎右臼歯と下顎左臼歯を撮影対象とする歯科Ｘ線画像撮影用ＣＣＤセンサー装着用の専用センサーホルダー付き撮影具による上顎右臼歯の等長撮影状態を示す正面図、図２は同撮影具の本体組立時における各部品の配置関係を示す斜視図、図３は同撮影具の本体に装着する専用センサーホルダーを示す斜視図、並びに図４は同撮影具の組立完成状態を示す斜視図である。この歯科Ｘ線画像撮影用ＣＣＤセンサー装着用の専用センサーホルダー付き撮影具１は、用具の中核をなす支持基板２として、先端側の幅を狭く、後端側の幅を広くして、アーム状に伸ばした平板状部材を用いる。そして、そのアーム状支持基板２の前端に、結合具３を用いてＸ線照射管案内リング４を固着し、そのＸ線照射管案内リング４を支持基板２の一主面から一方向に突出するように設置する。その際、Ｘ線照射管案内リング４の円形照射面４ａを後述する咬合用主ブロック９の咬合面１０に向けて傾斜させ、その傾斜角度αを咬合面１０と垂直な一点鎖線で示す面１０ａに対し、例えば１０度にする。そこで、アーム状支持基板２が上顎右臼歯の撮影時に口角を回り込めるようにするため、その後部寄り箇所を一定の範囲屈曲させて、屈曲部５を形成する。すると、アーム状支持基板２の後部付近が被検者の口腔内に挿入する口腔内挿入部６になる。
【００１６】
この口腔内挿入部６は大略長方形状にし、その一主面７を咬合時に水平に保てる水平面にする。すると、その一主面７上に複数例えば３本のねじ８を用いて咬合用主ブロック９を螺着し、その咬合用主ブロック９をＸ線照射管案内リング４の突出方向と大略同一方向に向けて突設できる。そこで、咬合用主ブロック９として例えば直方体を用い、その一主面７と平行な外面１０を、咬合時に被検歯付近の歯が垂直状態になって、歯の先端面が当接する咬合面にする。すると、咬合用主ブロック９を一主面７のＸ線照射管案内リング４の側にある縁まで片寄せ、咬合面１０と一主面７の長手方向同士を一致させて配置でき、一主面７の咬合用主ブロック９のない平面領域１１を相対する他の縁側に作れる。なお、１２は咬合用主ブロック９に設けた深さが一定で、奥部側が拡張した嵌合溝であり、１３は口腔内挿入部６の他主面１４に突設し、先端面に凹凸を設けた咬合用補助ブロックである。
【００１７】
このようにして、撮影具１の本体１５を組み立て、その咬合用主ブロック９に画像撮影用ＣＣＤセンサー１６を支持するセンサーホルダー１７を装着脱自在に設置する。そこで、センサーホルダー１７の製作に際し、矩形状例えば長方形状の支持基板１８をホルダー１７の中核として設け、そのセンサー支持基板１８を円形照射面４ａと同一の傾斜方向にして、傾斜角度が倍角２αである２０度となるように傾斜させる。そして、そのセンサー支持基板１８の上下端部に、センサー支持基板１８の咬合用主ブロック９と反対側にある一主面側に装着する画像撮影用ＣＣＤセンサー１６の上下端部を被って支持する上下湾曲部１９、２０を夫々突設する。すると、センサー支持基板１８にセンサー装着部２１を形成できる。そして、そのセンサー装着部２１に画像撮影用ＣＣＤセンサー１６を装着した時に、そのセンサー支持基板１８の内側主面に画像撮影用ＣＣＤセンサー１６の一主面２２が接触し、そのＣＣＤセンサー１６の他主面２３に設けた撮影エリア２４を上下湾曲部１９、２０の両端間に配置できる。
【００１８】
そこで、センサー支持基板１８の他主面、即ち咬合用主ブロック９に向く面の口腔内挿入部６寄りの最端付近に、突出長を一定にして、咬合用主ブロック９の咬合面１０と平行に伸びて基板１８の両端まで達し、その先端部側部分２５ａが円形断面状に拡張する嵌合突条２５を設ける。そして、咬合用主ブロック９の後面２６に咬合面１０と平行に伸びて主ブロック９の両端まで達するようにして、センサー支持基板１８の嵌合突条２５が嵌まる断面同一形状の上述した嵌合溝１２を設ける。すると、センサーホルダー１７が完成し、そのセンサーホルダー１７が画像撮影用ＣＣＤセンサー１６の外形に対応したセンサー装着部２１を有する専用のセンサーホルダーになる。なお、センサー支持基板１８の中央部に、撮影エリア２４の輪郭形状に対応するＸ線通過用開口部を設けてもよい。
【００１９】
このような専用センサーホルダー１７を本体１５に装着する場合、そのセンサー支持基板１８の外主面に設けた先端部側拡張の嵌合突条２５と、咬合用主ブロック９の後面２６に設けた断面同一形状の嵌合溝１２の端同士を合せて位置決めした後、その嵌合突条２５を嵌合溝１２に対し咬合用主ブロック９の咬合面１０と平行となるように押し込み、スライドさせて嵌合する。すると、嵌合突条２５の先端部側が付け根部側より拡張し、嵌合溝１２の奥部側が開口部側より拡張しているので、その専用センサーホルダー１７を咬合用主ブロック９により良好に保持できて、歯科Ｘ線画像撮影用ＣＣＤセンサー装着用の専用センサーホルダー付き撮影具１が完成する。しかも、装着状態にある専用センサーホルダー１７を引く又は更に押す方向にスライドさせると脱着できる。それ故、専用センサーホルダー１７を咬合用主ブロック９に対し、自在に装着脱できると共に、咬合用主ブロック９との装着位置を変えることにより、専用センサーホルダー１７の位置を歯列方向に沿う一定範囲で選択できる。なお、撮影具１には当然Ｘ線の透過を妨げないようにするため、主にプラスチック製部品を用いる。
【００２０】
使用時、画像撮影用ＣＣＤセンサー１６を撮影具１の専用センサーホルダー１７に装着する。その際、画像撮影用ＣＣＤセンサー１６の端をセンサー支持基板１８の上下湾曲部１９、２０の間に嵌まるように位置決めした後、センサー支持基板１８の内側主面に沿って押し込みスライドさせる。すると、画像撮影用ＣＣＤセンサー１６をセンサー装着部２１に挿入して装着し、センサー支持基板１８の内側主面と上下湾曲部１９、２０で良好に保持できる。又、装着状態にある画像撮影用ＣＣＤセンサー１６を引く又は更に押す方向にスライドさせると脱着できる。それ故、センサー装着部２１に対し、画像撮影用ＣＣＤセンサー１６を自在に装着脱できると共に、センサー装着部２１への装着位置を変えることにより、画像撮影用ＣＣＤセンサー１６の位置を歯列に沿う一定範囲で選択できる。尤も、図５に示すように画像撮影用ＣＣＤセンサー１６を先に専用センサーホルダー１７に装着した後、そのホルダー１７を本体１５の咬合用主ブロック９に装着してもよい。なお、２７は画像撮影用ＣＣＤセンサー１６の信号電線である。
【００２１】
このようにして、専用センサーホルダー１７を咬合用主ブロック９に装着し、更にその専用センサーホルダー１７に画像撮影用ＣＣＤセンサー１６を装着した撮影具１を使用すると、そのセンサー装着部２１を口腔内挿入部６の咬合用主ブロック９のない平面領域１１の側に配置できる。すると、咬合時に画像撮影用ＣＣＤセンサー１６を当然歯列より口腔内方に配置できる。
【００２２】
そして、アーム状に伸びる支持基板２の前端に、そのアーム状支持基板２の一主面から一方向に突出するようにして、Ｘ線照射管案内リング４を突設し、そのアーム状支持基板２の後部付近を被検者の口腔内に挿入する口腔内挿入部６にし、その口腔内挿入部６にＸ線照射管案内リング４の突出方向と大略同一方向に向けて、咬合時に被検歯２８付近の歯が垂直状態になって、歯の先端面が当接する咬合面付き主ブロック９を突設し、その咬合用主ブロック９に画像撮影用ＣＣＤセンサー６を支持する専用センサーホルダー１７を設置し、そのＸ線照射管案内リング４の円形照射面４ａを咬合用主ブロック９の咬合面１０に垂直な面１０ａに対し所定の角度α傾斜させ、更に専用センサーホルダー１７を、そのホルダー１７に装着した画像撮影用ＣＣＤセンサー１６に設けた撮影エリア２４の主面が円形照射面４ａと同一の傾斜方向になって、傾斜角度が倍角２αとなるように配置してあるので、二等分撮影法により、被検歯２８の上下方向の長さと画像上の歯の上下方向の長さが同一となる等長撮影を行える。
【００２３】
しかも、このような専用センサーホルダーに設けるセンサー装着部の形状を画像撮影用ＣＣＤセンサーの外形が異なる毎に変えて、種々の専用センサーホルダーを作成し、その各専用センサーホルダーにいずれにも同一形状の嵌合突条を設けると、各種専用センサーホルダーの嵌合突条を共通化できる。それ故、検査の都度、種々の専用センサーホルダーから使用する画像撮影用ＣＣＤセンサーの外形に対応するセンサー装着部を有する専用センサーホルダーを選んで用いることにより、外形が異なる種々の画像撮影用ＣＣＤセンサーをいずれも対応する専用センサーホルダーに夫々装着でき、更にその各専用センサーホルダーをいずれも撮影具１の本体１５に設けた同一の咬合用主ブロック９に装着して使用できる。
【００２４】
そして、咬合時に被検歯２８とその付近の歯で噛む咬合用主ブロック９の位置を変えずに、その咬合用主ブロック９に対する専用センサーホルダー１７の装着位置を適宜移動して変え、更にその専用センサーホルダー１７に対し、画像撮影用ＣＣＤセンサー１６の装着位置を適宜移動して変えられるので、被検歯２８に対し、各種ＣＣＤセンサーの位置決めを正確に行えて、再現性に優れた等長画像を作成できる。しかも、咬合時に被検歯２８付近の噛み易い歯で咬合用主ブロック９を強固に噛めるので、口腔内での咬合状態が安定し、違和感が少なくなり、撮影具１を良好に保持できる。
【００２５】
図６は本発明を適用した上顎右臼歯と下顎左臼歯を撮影対象とする歯科Ｘ線画像撮影用ＣＣＤセンサー装着撮影具の他の実施形態による上顎右臼歯等の等長撮影状態を示す正面図、図７は同撮影具の本体に装着する専用センサーホルダーを示す斜視図である。この歯科Ｘ線画像撮影用ＣＣＤセンサー装着用の専用センサーホルダー付き撮影具３０と前述した撮影具１とを比べると、撮影具１では専用センサーホルダー１７を用いているのに対し、撮影具３０では専用センサーホルダー３１を用いている。しかし、専用センサーホルダー１７ではセンサー支持基板１８の最端付近から嵌合突条２５を突設するのに対し、専用センサーホルダー３１ではセンサー支持基板１８の最端付近と嵌合突条２５との間に脚部３２に相当する板状部分を設けて、センサー装着部２１を上下方向に高くした点が異なっているに過ぎない。それ故、この撮影具３０を用いると、やはり二等分撮影法により、被検歯２８の根尖付近を撮影箇所とする上下の一定範囲の等長撮影を行えて、点線円で示した箇所に発生する根尖病等の検査を行い易くなる。そこで、図６、７では撮影具３０に装着して用いる専用センサーホルダー３１の脚部３２以外の撮影具１と同一の部分に同一符号を記載しておく。
【００２６】
図８は本発明を適用した上顎前歯と下顎前歯を撮影対象とするＸ線画像撮影用ＣＣＤセンサー装着用の専用センサーホルダー付き撮影具の一実施形態による上顎前歯の等長撮影状態を示す正面図、図９は同撮影具の本体組立時における各部品の配置関係を示す斜視図、図１０は同撮影具の本体に装着する専用センサーホルダーを示す斜視図、及び図１１は同撮影具の組立完成状態を示す斜視図である。この歯科Ｘ線画像撮影用ＣＣＤセンサー装着用の専用センサーホルダー付き撮影具３５も前述した撮影具１、３０と大略同一の構造を備えている。そこで、以下において撮影具１と比べて異なる点を主に説明する。この撮影具３５でも用具の中核をなすのはアーム状支持基板３６であり、その先端に結合具３７を用いてＸ線照射管案内リング３８を固着する。しかし、アーム状支持基板３６は前歯対応にすればよいので、支持基板３６の中央付近を屈曲箇所にして前部側を後部側に対し、少し傾斜させるだけでよい。すると、アーム状支持基板３６の後部付近が口腔内挿入部３９になる。
【００２７】
この口腔内挿入部３９には中央付近から一方の縁まで達する配線用の貫通穴４０を設ける。そして、その配線用穴４０の前側直近に、直方体状の咬合用主ブロック４１と、三角板状の咬合用補助ブロック４２（４２ａ、４２ｂ）を一対と、複数本例えば２本のねじ４３を対応付けて配置する。すると、口腔内挿入部３９の両主面に、咬合用主ブロック４１と２個の咬合用補助ブロック４２とを２本のねじ４３にて螺着できる。その際、２個の咬合用補助ブロック４２の間に配線用の間隙４４を形成する。又、口腔内挿入部３９の後端部４５に、咬合用補助ブロック４２の側に突出し、先端面に凹凸４６を多数設けた舌当接用突部４７を設ける。なお、舌当接用突部４７は撮影具３５のバランサーであり、咬合時に咬合状態を安定化させる。
【００２８】
このようにして、撮影具３５の本体４８を組み立て、その咬合用主ブロック４１に画像撮影用ＣＣＤセンサー４９を支持する専用センサーホルダー５０を装着脱自在に設置する。そこで、専用センサーホルダー５０を、前述した専用センサーホルダー１７とほぼ同一の構造にする。そして、専用センサーホルダー５０の製作に際し、同様にして専用センサーホルダー５０に支持基板５１を備え、そのセンサー支持基板５１を円形照射面３８ａと同一の傾斜方向にして、傾斜角度が倍角例えば２０度となるように傾斜させ、そのセンサー支持基板５１の上下端部に、センサー支持基板５１の一主面に所定の突出長を有し、装着する画像撮影用ＣＣＤセンサー４９の上下端部を被って支持する上下湾曲部５２、５３を夫々突設して、そのセンサー支持基板５１に画像撮影用ＣＣＤセンサー４９の外形に対応するセンサー装着部５４を形成し、そのセンサー支持基板５１の他主面に所定の突出長を有し、咬合用主ブロック４１の咬合面５５と平行に伸びて基板５１の両端まで達する先端部側拡張の嵌合突条５６を設ける。しかし、専用センサーホルダー５０の口腔内挿入部側にある一方の湾曲部５３には、その中央付近に、専用センサーホルダー５０に装着した画像撮影用ＣＣＤセンサー４９の信号電線５７が嵌まる縁まで達する配線用の貫通穴５８を設ける。なお、咬合用主ブロック４１には、当然その後面５９に、咬合面５５と平行に伸びて両端まで達するようにして、センサー支持基板５１の嵌合突条５６が嵌まる断面同一形状の嵌合溝６０を設けておく。
【００２９】
このように、撮影具３５の口腔内挿入部３９、専用センサーホルダー５０に配線用穴４０、５８を夫々設け、更に２個の咬合用補助ブロック４２の間に配線用間隙４４を設けておくと、図１２に示すように専用センサーホルダー５０に装着した画像撮影用ＣＣＤセンサー４９の撮影エリア６１から伸びる信号電線５７を、それ等の穴４０、５８、間隙４４を通過させ、アーム状支持基板３６の他主面に沿わせて導くことができる。その結果、咬合時に信号電線５７を歯で傷付けることがない。それ故、歯科Ｘ線画像撮影用ＣＣＤセンサー装着の専用センサーホルダー付き撮影具３５が、特に前歯６２を撮影するのに適したものになる。又、このような専用センサーホルダーにセンサー支持基板の延長板に相当する脚部を設け、センサー装着部の位置を口腔内挿入部から上下方向に離すと、被検歯６２の根尖付近を撮影箇所とするのに適したものになる。なお、臼歯を撮影する場合には、通常格別の配線路を設けなくても、信号電線を歯で傷付けることがない。
【００３０】
上記実施の形態では、本発明を適用した上顎右臼歯と下顎左臼歯を撮影対象とする歯科Ｘ線画像撮影用ＣＣＤセンサー装着用の専用センサーホルダー付き撮影具１について説明したが、その撮影具１と左右対称構造の撮影具にすると、その撮影具を用いて上顎左臼歯と下顎右臼歯を対象とする撮影を同様に行える。
【００３１】
又、上記実施の形態では、本発明による撮影具１、３０、３５において、Ｘ線照射管案内リング４、３８の円形照射面４ａ、３８ａを咬合用主ブロック９、４１の咬合面１０、５５に垂直な面１０ａに対し所定の角度α傾斜させ、専用センサーホルダー１７、４９を、そのホルダーに装着した画像撮影用ＣＣＤセンサー１６、４９に設けた撮影エリア２４、６１の主面が円形照射面４ａ、３８ａと同一の傾斜方向になって、傾斜角度が倍角２αとなるように配置し、二等分撮影法によって、被検歯６２の上下方向の長さと画像上の歯の上下方向の長さが同一となる等長撮影を行う場合について説明したが、本発明による撮影具において、Ｘ線照射管案内リングの円形照射面を咬合用主ブロックの咬合面に垂直な面に対し所定の角度傾斜させ、その専用センサーホルダーを、そのホルダーに装着した画像撮影用ＣＣＤセンサーに設けた撮影エリアの主面が円形照射面と同一の傾斜方向になって、傾斜角度が同一となるように配置すると、被検歯の上下方向の長さと比べて、画像上の歯の上下方向の長さが圧縮される圧縮撮影を同様に行うことができる。
【図面の簡単な説明】
【００３２】
【図１】本発明を適用した上顎右臼歯と下顎左臼歯を撮影対象とする歯科Ｘ線画像撮影用ＣＣＤセンサー装着用の専用センサーホルダー付き撮影具の一実施形態による上顎右臼歯の等長撮影状態を示す正面図である。
【図２】同撮影具の本体組立時における各部品の配置関係を示す斜視図である。
【図３】同撮影具の本体に装着する専用センサーホルダーを示す斜視図である。
【図４】同撮影具の組立完成状態を示す斜視図である。
【図５】同撮影具の本体に備えた咬合用主ブロックに対し、画像撮影用ＣＣＤセンサー装着済み専用センサーホルダーの装着直前の位置関係を示す斜視図である。
【００３３】
【図６】本発明を適用した上顎右臼歯と下顎左臼歯を撮影対象とする歯科Ｘ線画像撮影用ＣＣＤセンサー装着用専用センサーホルダー付き撮影具の他の実施形態による上顎右臼歯等の等長撮影状態を示す正面図である。
【図７】同撮影具の本体に装着する専用センサーホルダーを示す斜視図である。
【００３４】
【図８】本発明を適用した上顎前歯と下顎前歯を撮影対象とする歯科Ｘ線画像撮影用ＣＣＤセンサー装着用の専用センサーホルダー付き撮影具の一実施形態による上顎前歯の等長撮影状態を示す正面図である。
【図９】同撮影具の本体組立時における各部品の配置関係を示す斜視図である。
【図１０】同撮影具の本体に装着する専用センサーホルダーを示す斜視図である。
【図１１】同撮影具の組立完成状態を示す斜視図である。
【図１２】同撮影具を咬合用補助ブロック側から見た斜視図である。
【符号の説明】
【００３５】
１、３０、３５…撮影具  ２、３６…アーム状支持基板  ４、３８…Ｘ線照射管案内リング  ４ａ、３８ａ…円形照射面  ５…屈曲部  ６、３９…口腔内挿入部  ９、４１…咬合用主ブロック  １０、５５…咬合面    １２、６０…嵌合溝  １３、４２…咬合用補助ブロック  １５、４８…本体  １６、４９…ＣＣＤセンサー  １７、３１、５０…専用センサーホルダー  １８、５１…センサー支持基板  １９、２０、５２、５３…上下湾曲部  ２１、５４…センサー装着部  ２４、６１…撮影エリア  ２５、５６…嵌合突条  ２６、５９…後面  ２７、５７…信号電線  ２８、６２…被検歯  ３２…脚部  ４７…舌当接用突部
【図１】
2010253127.tif 000003
【図２】
2010253127.tif 000004
【図３】
2010253127.tif 000005
【図４】
2010253127.tif 000006
【図５】
2010253127.tif 000007
【図６】
2010253127.tif 000008
【図７】
2010253127.tif 000009
【図８】
2010253127.tif 000010
【図９】
2010253127.tif 000011
【図１０】
2010253127.tif 000012
【図１１】
2010253127.tif 000013
【図１２】
2010253127.tif 000014